(57)【要約】【課題】シートの端縁部の外観を見栄え良くすることができ、構造が簡単で確実かつ安定して固定することができるハトメキャップを提供する。【解決手段】シートに設けられたハトメより大きいキャップ部１と、該キャップ部１の裏側に一体的に取り付けられると共に前記ハトメに嵌め込まれる嵌込部２と、該嵌込部２に設けられる抜止部３と、から構成される。【選択図】        図１
2005221041.tif 000002
【特許請求の範囲】
【請求項１】
シートに設けられたハトメより大きいキャップ部と、該キャップ部の裏側に一体的に取り付けられると共に前記ハトメに嵌め込まれる嵌込部と、該嵌込部に設けられる抜止部と、から構成されることを特徴とするハトメキャップ。
【請求項２】
上記抜止部がロープ掛穴であることを特徴とする請求項１に記載のハトメキャップ。
【請求項３】
上記抜止部がロープ掛止め片であることを特徴とする請求項１に記載のハトメキャップ。
【請求項４】
シートに設けられたハトメより大きいキャップ部と、該キャップ部の裏側に一体的に取り付けられると共に前記ハトメに嵌め込まれる嵌込部と、該嵌込部の先端部に一体的に組み付けられる別のキャップ部と、から構成されることを特徴とするハトメキャップ。
【請求項５】
上記別のキャップ部の裏側に組付部を取り付けて、該嵌込部を上記嵌込部に組み付けることを特徴とする請求項４に記載のハトメキャップ。
【請求項６】
上記嵌込部にロープ掛穴を設けて、該ロープ掛穴にロープを挿通させるように構成したことを特徴とする請求項４または５に記載のハトメキャップ。
【発明の詳細な説明】
【技術分野】
【０００１】
本発明は、防水シートなどのシートの端縁部に設けられたハトメに取り付けるための、ハトメキャップに関するものである。
【背景技術】
【０００２】
従来、ハトメ付きのシートをパイプに固定する場合には、図４に示すように、シートＳのハトメＨに連結ロープＲを通して、パイプＰに巻き付けて固定していた。また従来、例えば特許文献１に開示されているように、鳩目に固定子を差し込み、フックの基部に形成した取付穴にネジ止めしたり押し込んで固定するものがあった。
【０００３】
しかし、上記従来の固定方法では、上記ハトメＨが表面側に露出して外観を損なう等の問題点があり、さらに、連結ロープＲをハトメＨに通す場合には、連結ロープＲもシートＳの表面側に露出し、いっそう外観を損なう等の問題があった。また、上記特許文献１の従来技術は、フックの基部に取付穴を設ける必要があり、構造が複雑であるだけでなく、フック位置が取付穴から離れているため、フックに作用する引張力により取付穴部分に回転モーメントが働いて外れたり破損する等の問題点があった。
【特許文献１】特開２００３−９７０９８
【発明の開示】
【発明が解決しようとする課題】
【０００４】
本発明が解決しようとする課題は、シートの端縁部の外観を見栄え良くすることができ、構造が簡単で確実かつ安定して固定することができるハトメキャップを提供することにある。
【課題を解決するための手段】
【０００５】
本発明のハトメキャップは、シートに設けられたハトメより大きいキャップ部と、該キャップ部の裏側に一体的に取り付けられると共に前記ハトメに嵌め込まれる嵌込部と、該嵌込部に設けられる抜止部と、から構成されることを特徴とする。また、上記抜止部がロープ掛穴であることを特徴とする。さらに、上記抜止部がロープ掛止め片であることを特徴とする。また更に、シートに設けられたハトメより大きいキャップ部と、該キャップ部の裏側に一体的に取り付けられると共に前記ハトメに嵌め込まれる嵌込部と、該嵌込部の先端部に一体的に組み付けられる別のキャップ部と、から構成されることを特徴とする。また、上記別のキャップ部の裏側に組付部を取り付けて、該嵌込部を上記嵌込部に組み付けることを特徴とする。さらに、上記嵌込部にロープ掛穴を設けて、該ロープ掛穴にロープを挿通させるように構成したことを特徴とする。
【発明の効果】
【０００６】
本発明のハトメキャップは、シートの端縁部の外観を見栄え良くすることができ、構造が簡単で確実かつ安定して固定することができる利点がある。
【発明を実施するための最良の形態】
【０００７】
シートの端縁部の外観を見栄え良くすることができるという目的を、シートに設けられたハトメより大きいキャップ部と、該キャップ部の裏側に一体的に取り付けられると共に前記ハトメに嵌め込まれる嵌込部と、該嵌込部に設けられる抜止部と、から構成されることこと、および、シートに設けられたハトメより大きいキャップ部と、該キャップ部の裏側に一体的に取り付けられると共に前記ハトメに嵌め込まれる嵌込部と、該嵌込部の先端部に一体的に組み付けられる別のキャップ部と、から構成されることで実現した。
【実施例１】
【０００８】
図１は、本発明のハトメキャップの一実施例を示す図であって、１はキャップ部、２は嵌込部、および３は該嵌込部２にロープ掛穴として形成された抜止部である。
【０００９】
上記キャップ部１は、ハトメＨの大きさより大きく形成されていて、該ハトメＨを覆い隠すようになっている。本実施例のキャップ部１は円形に形成されているが、ハトメＨを隠すことができれば、矩形、ハート型などいずれの形状であってもよい。
【００１０】
上記嵌込部２は、上記キャップ部１の裏側に取り付けられていて、上記ハトメＨに嵌め込む構造となっている。すなわち、図１（Ｃ）に示すように、ハトメＨの穴径ｄに対し、該嵌込部２の嵌込径Ｄを僅かに大きくして、キャップ部１をハトメＨに圧入状態で強制的に嵌め込むようになっている。嵌め込み後は、簡単に離脱できないようになっている。
【００１１】
上記抜止部３は、図１（Ｄ）に示すように、嵌め込んだ後にハトメＨの反対側に位置する嵌込部２に形成される。該ロープ掛穴としての抜止部３に連結ロープＲを通してパイプＰに固定する。該抜止部３には連結ロープＲに限らず、紐や鎖など連結可能なものであればいずれの索条を通すようにしてもよい。
【００１２】
上記実施例のハトメキャップは以上のように構成されているので、図２に示すように、ハトメＨがキャップ部１により完全に隠されると共に、連結ロープＲがシートＳの裏側に完全に隠れ、その結果、連結部がスッキリして外観が改善される。また、連結ロープＲをハトメＨに通してから該ハトメキャップを取り付けるようにしてもよい。この場合には、ハトメが隠れて外観がスッキリする効果がある。
【００１３】
上記実施例では、キャップ部１をハトメＨに圧入状態で強制的に嵌め込むように構成したが、本発明はこれに限定するものではなく、嵌込部２をハトメＨに遊嵌状態で挿設させてもよい。この場合には、嵌込部２の先端部に折り畳み自在の掛止め片（図示せず）を取り付けるのが好ましい。
【実施例２】
【００１４】
図３（Ａ）（Ｂ）は、本発明のハトメキャップの別の実施例を示すもので、上記キャップ部１の嵌込部２に、その裏側から、もう１つのキャップ部１′の組付部２′を一体的に組み付ける状態で、ハトメＨに嵌め込み、この嵌込部２に連結ロープＲを掛けてパイプＰに固定する。なお、図３（Ｃ）に示すように、上記嵌込部２にロープ掛穴３′を形成して、これに連結ロープＲを通すようにしてもよい。本実施例２における嵌込部２および組付部２′の一体的な組み付け構造は、圧入や係合など容易に一体化でき簡単に離脱しない構成であればいずれの構成でもよい。
【００１５】
この実施例２では、キャップ部１′に組付部２′を設けたが、これを省略して、キャップ部１′の裏側面を上記キャップ部１の嵌込部２の先端部に取り付けるようにしてもよい。
【図面の簡単な説明】
【００１６】
【図１】本発明のハトメキャップをハトメに嵌め込む前の状態を説明する斜視図（Ａ）、その説明図（Ｂ）、嵌め込み後の状態を説明する斜視図（Ｃ）、その説明図（Ｄ）である。
【図２】図１のハトメキャップによるシートの連結状態の説明図である。
【図３】本発明のハトメキャップの別の実施例の説明図（Ａ）（Ｂ）およびその改変例の説明図（Ｃ）である。
【図４】従来のシートの連結状態の説明図である。
【符号の説明】
【００１７】
１、１′  キャップ部
２    嵌込部
２′  組付部
３、３′  抜止部
Ｄ    嵌込径
ｄ    穴径
Ｈ  ハトメ
Ｐ  パイプ
Ｒ  連結ロープ
Ｓ  シート
【図１】
2005221041.tif 000003
【図２】
2005221041.tif 000004
【図３】
2005221041.tif 000005
【図４】
2005221041.tif 000006